(57)【要約】      （修正有）【課題】折りたたんだ状態で配送する際の３辺の合計がコンパクトになるハンガーボックスを提供する。【解決手段】ハンガーボックス本体１、フタ部材２、ハンガーパイプ部３で構成されるものである。本体は、ダンボール紙製で折りたたみ可能であって、底面は通常のダンボールと同様の構造で開放可能であり、両側面の中央に高さ方向に折り線１６を付け、上方部は切欠き部２５を設けてハンガーパイプ３を切欠き部に取り付けるようになっている。折りたたみ時にはハンガーボックス本体１の折り線１６に沿って折りたたみ、その上にフタ部材２、ハンガーパイプ３を重ねて梱包することで３辺の合計がコンパクトとなるハンガーボックスが得られる。【選択図】図１
0003191862.tif 000002
【実用新案登録請求の範囲】
【請求項１】
正面板、２つの側面板、前記正面板及び２つの側面板と連続するように設けられた底面板を有し、組み立て時に前記側面板の下部に前記正面板の下部が固定される直方体形状のハンガーボックス本体と、
前記本体上部に組み立て時に取り付けられるフタ部材と、
前記本体内部に組み立て時に取り付けられる衣類を吊るすためのハンガーパイプ部材とを備えたハンガーボックスであって、
前記正面板の上部には、前記フタ部材に差し込めるようにした差込片が設けられ、
前記２つの側面板には高さ方向に沿って中央に折り線が付与されており、
前記側面板と連続するように設けられた底面板には、前記折り線が延長されており、
折りたたむ際に側面板を前記折り線に沿って内側に折り曲げ、さらに折りたたんだハンガーボックス本体、前記フタ部材、及びハンガーパイプ部材を重ねることによって、折りたたまれたハンガーボックス一式の収納状態の３辺が、組み立て時の高さ、組み立て時の横幅、折りたたみ重ね合わせた厚みの三つの寸法程度になることを特徴とするハンガーボックス。
【考案の詳細な説明】
【技術分野】
【０００１】  本考案は衣類を吊り下げて収納し、引越しの際はそのままの状態で運搬するのに適したハンガーボックスに関する。
【背景技術】
【０００２】  引越しの際に衣類をたたまずに吊り下げた状態で収納して運搬することが可能なハンガーボックスが一般的に知られている。特に、ダンボールなどを使用することで、運搬用として安価に製作が可能である。しかしながら、衣料をつるすハンガーボックスの大きさは、コートなどを入れる場合高さが１．３ｍ程度必要となる。【０００３】  従来のハンガーボックスはフタと底を形成する部分を本体と切り離さないように設計されている。そのため、資材として配送するために折りたたんだ状態では、本体の組み立て時の高さ分に加えて底・フタ部分が加わり、高さ方向のサイズはその分大きくなる。また横方向のサイズは組み立て時の幅と奥行サイズの合算分に相当するので、一般的な宅配便の運送コストの目安である、折りたたみ梱包時の３辺計（３辺の合計）は非常に大きくなってしまっていた。【０００４】  一個単位など少量で、消費者のもとへ宅配便などで配送する場合、丈の長いコートなどが収納されるＬサイズ（高さ１３０ｃｍ）のハンガーボックスなどは、梱包時の３辺の合計が２６０ｃｍ以上となり全体のコストが非常に割高になっていた。最近は宅配便などの運送業者は３辺計が２００ｃｍ以上だとさらに配送料が割り高に設定される傾向があり、２６０ｃｍまでしか受け付けない業者もあるほどである。結果的に材料が安価でも、運送費を含めた全体的なコストが高くなってしまっている。
【先行技術文献】
【０００５】
【非特許文献１】「モノタロウ  インターネットカタログ」株式会社ＭｏｎｏｔａＲＯ  インターネット＜ＵＲＬ：ｈｔｔｐ：／／ｗｗｗ．ｍｏｎｏｔａｒｏ．ｃｏｍ／ｐ／４７８１／６４４７／＞
【考案の概要】
【考案が解決しようとする課題】
【０００６】  本考案では、このような背景のもとになされたものであり、運送コストを下げるために、折りたたんだ梱包状態で、３辺の合計が２００ｃｍ程度、Ｌサイズでも２２０ｃｍにおさまるようなハンガーボックスを提供することを目的とする。
【課題を解決するための手段】
【０００７】  以下の手段により、上記の課題を解決する。
本考案のハンガーボックスは、正面板、２つの側面板、前記正面板及び２つの側面板と連続するように設けられた底面板を有し、組み立て時に前記側面板の下部に前記正面板の下部が固定される直方体形状のハンガーボックス本体と、
前記本体上部に組み立て時に取り付けられるフタ部材と、
前記本体内部に組み立て時に取り付けられる衣類を吊るすためのハンガーパイプ部材と、
を備えたハンガーボックスであって、
前記正面板の上部には、前記フタ部材に差し込めるようにした差込片が設けられ、
前記２つの側面板には高さ方向に沿って中央に折り線が付与されており、
前記側面板と連続するように設けられた底面板には、前記折り線が延長されており、
折りたたむ際に側面板を前記折り線に沿って内側に折り曲げ、さらに折りたたんだハンガーボックス本体、前記フタ部材、及びハンガーパイプ部材を重ねることによって、折りたたまれたハンガーボックス一式の収納状態の３辺が、組み立て時の高さ、組み立て時の横幅、折りたたみ重ね合わせた厚みの三つの寸法程度になることを特徴とするハンガーボックス。
【考案の効果】
【０００８】  本考案によれば、上記のようにしたことによって、折りたたんで発送する際のサイズが非営にコンパクトになり。組み立てたときのハンガーボックスの高さが１００ｃｍ程度のものだと、幅４８ｃｍ、高さは１２５ｃｍ、厚みは９ｃｍ程度となり３辺計は１８２ｃｍ、包装しても１８５ｃｍＬサイズの高さ１３０ｃｍ程度のものでも、同様に３辺計は２１２ｃｍ、包装しても２１５ｃｍとなり、大幅に配送コストを軽減することができる。
【図面の簡単な説明】
【０００９】
【図１】本考案の実施形態に係るハンガーボックスボックスの概略斜視説明図。
【図２】本考案の実施形態に係わる平面部材状態の展開図。
【図３】本考案の実施形態に係わる折りたたんだ状態の概略斜視説明図。
【考案を実施するための形態】
【００１０】  本考案の具体的な構成を図面に沿って説明する。図１は、本考案であるハンガーボックスの基本構造を示すもので、ハンガーボックス本体１、フタ部材２、ハンガーパイプ部３で構成されるものである。本体は、ダンボール紙製で折りたたみ可能であって、底面は通常のダンボールと同様の構造で開放可能であり、両側面の中央に高さ方向に折り線１６を付け、上方部は切欠き部２５を設けてハンガーパイプ３を切欠き部に取り付けるようになっている。
【００１１】  図２は、本体１とフタ部材２の展開図で、本体１は第１平面部材１ａと第２平面部材１ｂから組みたてられる。第１平面部材１ａは、側面板１０１、背面板１０２が配置され、側面板の外方には直方体を形成する際の正面板１０，１１に接する板部１５が形成されており、正面板の下半分になる板部１１はその板部１５に糊あるいはステッチなどで固定される。側面板１０１、背面板１０２、正面板１１の下方には、底部側延長部１７が配置されており、直方体を形成する際にこれらが公知の構造で組み合わされることで底面板の底面１７０となる。
【００１２】  図１、図２に示される側面中央に高さ方向に設けられた折り線１６は、直方体を形成する本体１を折りたたむ際にこの折り線に沿って直方体の内側に側面を折り曲げることによって、コンパクトにたためるようにしたものである。通常の折りたたみ方法だと折りたたみ時の横幅は、側面の幅と背面（または正面）の幅を加算した幅になるが、この内側に折り曲げることによって折りたたみ時の横幅は背面の幅分ですむことになる。
【００１３】  切り欠き部２５は、ハンガーパイプ３を取り付けるためのもので、一般的な方法である。１４は組み立てた後の運搬用の手穴で、一般的なものである。
【００１４】  フタ部材２は、フタ上面部となる板部３０を１枚と、２つの直方体部材３１から組み立てられるもので、２枚の平面部材を折り曲げて直方体部材３１を組み立てて板部３０に貼り付ける。この直方体部材３１はフタを本体１にはめ込むためのもので、平面部材を折り線４０〜４３に沿って内側に折り曲げることで直方体部材となり、本体にぴったりはまるようになる。３７の板片を穴３８に押し込むことで糊などを使わずに直方体を固定することができる。直方体部材３１を２つ組み立て、板部３０に均等に貼り付けることで、図１のフタ部材２を形成する。ハンガーパイプ３を挟むように２つの直方体部材３１を固定することで、ハンガーパイプ３にハンガー５０が掛かった状態をロックし、ハンガーに掛かった衣料の輸送時の振動・衝撃による落下を防ぐようにするように働くと同時に、横方向の箱の圧縮防止にもなる。
【００１５】  フタ部材２の板状突起４４は、本体１の切り欠き部２４に取り付けられるように設けたものである。組み立てる際は、ハンガーパイプを前述のように取り付けこのフタ部材を本体１上部にはめ込む。折り線４５に沿って板部３９は内側に曲げられ、背面板の内側と、正面側の板部１５の内側にくるようになる。曲げたときに３５は差込穴となって正面板の差込部１２が挿入されることによって組み立てられる。
【００１６】  図３は版画ボックス本体１を前述のように折り曲げ、その上方にフタ部材２、ハンガーパイプ３を載せた状態を示すものでる。図３から分かるように、折りたたんだセット状態で、全体が非常にコンパクトになることが理解される。
【符号の説明】
【００１７】１  ハンガーボックス本体
２  ハンガーボックスフタ部材
３  ハンガーパイプ
１０、１１  正面板部
１２  差込部
１４  手穴
１５  板部
１６、１８、１９、２１、２２、２３、４０〜４３、４５  折り線
１７  底板部
２４〜２６  切り欠き部
３０  天面板部
３１  直方体部材
３５  差込穴部
３７  ロック用板部
３８  ロック用穴部
３９  板部
５０  ハンガー
１０１  側面板
１０２  背面板
１７０  底面部
【図１】
0003191862.tif 000003
【図２】
0003191862.tif 000004
【図３】
0003191862.tif 000005